(57)【要約】【課題】計測用機器の交換時の作業性を向上させることのできるキュービクルのモニタ装置を提供する。【解決手段】キュービクルのモニタ装置１５は、本体部３０と、接続端子Ｔ１０と、タッチパネル２０とを備える。本体部３０は、キュービクルの計器取付板２３に取り付けられる。接続端子Ｔ１０は、本体部３０において計器取付板２３に取り付けられる背面とは反対側の前面に設けられ、キュービクルの計測用機器から延びる配線Ｗ２１，Ｗ２２が接続される。タッチパネル２０は、本体部の前面に設けられ、配線Ｗ２１，Ｗ２２から接続端子Ｔ１０を介して入力される電気信号に応じた計測値を表示する。【選択図】図７
2019195238.tif 000002
【特許請求の範囲】
【請求項１】
キュービクルの計器取付板に取り付けられる本体部と、
前記本体部において前記計器取付板に取り付けられる背面とは反対側の前面に設けられ、前記キュービクルの計測用機器から延びる配線が接続される接続端子と、
前記本体部の前面に設けられ、前記配線から前記接続端子を介して入力される電気信号に応じた計測値を表示する表示部と、を備える
キュービクルのモニタ装置。
【請求項２】
前記表示部は、前記本体部の正面視において前記接続端子に重ならない第１位置と、前記本体部の正面視において前記接続端子に重なる第２位置とに変位可能に前記本体部に取り付けられている
請求項１に記載のキュービクルのモニタ装置。
【請求項３】
前記表示部は、前記本体部の正面視において前記接続端子に重ならない第１位置と、前記本体部の正面視において前記接続端子及び配線に重なる第２位置とに変位可能に前記本体部に取り付けられている
請求項１に記載のキュービクルのモニタ装置。
【請求項４】
前記本体部の前面に設けられ、前記第１位置と前記第２位置とにスライド移動可能に前記表示部を支持するスライド部材を更に備える
請求項２又は３に記載のキュービクルのモニタ装置。
【請求項５】
前記第１位置に位置している状態で前記表示部の位置を保持する保持部材を更に備える
請求項２〜４のいずれか一項に記載のキュービクルのモニタ装置。
【請求項６】
前記接続端子には、複数の計測用機器のそれぞれの配線が接続され、
前記表示部は、複数の前記計測用機器のそれぞれに応じた複数の計測値を表示する
請求項１〜５のいずれか一項に記載のキュービクルのモニタ装置。
【請求項７】
前記本体部の前面には、外部機器との通信に用いられる通信線を接続可能な通信端子が更に設けられている
請求項１〜６のいずれか一項に記載のキュービクルのモニタ装置。
【発明の詳細な説明】
【技術分野】
【０００１】
本開示は、キュービクルのモニタ装置に関する。
【背景技術】
【０００２】
従来、特許文献１に記載のキュービクル式高圧受電設備がある。特許文献１に記載のキュービクルは、変圧器、電力用コンデンサ、高圧負荷開閉器、及びメータパネル等を有している。メータパネルは、変圧器の前面に設けられた計器取付板に取り付けられている。
【先行技術文献】
【特許文献】
【０００３】
【特許文献１】特開２００６−１４５００号公報
【発明の概要】
【発明が解決しようとする課題】
【０００４】
ところで、このようなキュービクルでは、メータパネルの接続端子が計器取付板の背面に配置されている。メータパネルの接続端子には、計器用変圧器や計器用変流器等の計測用機器から延びる配線が接続されている。そのため、計測用機器の交換が必要になった場合、計器取付板の背面に設けられるメータパネルの接続端子から配線を取り外した後に計測用機器を交換する必要がある。また、新たな計測用機器を取り付けた後、計器取付板の背面に配置されているメータパネルの接続端子に、計測用機器から延びる配線を接続する必要がある。このように、従来のキュービクルでは、計測用機器の交換の際に計器取付板の背面において配線の取り外し及び接続を行う必要がある。これが、計測用機器の交換時の作業性を悪化させる要因になっている。
【０００５】
本開示は、こうした実情に鑑みてなされたものであり、その目的は、計測用機器の交換時の作業性を向上させることのできるキュービクルのモニタ装置を提供することにある。
【課題を解決するための手段】
【０００６】
上記課題を解決するキュービクルのモニタ装置は、本体部と、接続端子と、表示部と、を備える。本体部は、キュービクルの計器取付板に取り付けられる。接続端子は、本体部において計器取付板に取り付けられる背面とは反対側の前面に設けられ、キュービクルの計測用機器から延びる配線が接続される。表示部は、本体部の前面に設けられ、配線から接続端子を介して入力される電気信号に応じた計測値を表示する。
【０００７】
この構成によれば、本体部の前面に接続端子が設けられているため、接続端子に配線を接続する作業、及び接続端子から配線を取り外す作業を本体部の前面で行うことができる。そのため、それらの作業を計器取付板の背面で行う必要のあった従来のキュービクルのメータパネルと比較すると、交換時の作業性を向上させることができる。
【０００８】
上記のキュービクルのモニタ装置において、表示部は、本体部の正面視において接続端子に重ならない第１位置と、本体部の正面視において接続端子に重なる第２位置とに変位可能に本体部に取り付けられていることが好ましい。
この構成によれば、表示部を第１位置に移動させることにより、接続端子に配線を接続する作業、及び接続端子から配線を取り外す作業を容易に行うことができる。また、表示部を第２位置に移動させることにより、作業者による意図しない接続端子への接触等を未然に防止することができる。
【０００９】
また、上記構成によれば、表示部が第２位置に位置している場合、接続端子の設置スペース上に表示部が配置されることになる。結果的に、表示部の設置のために計器取付板に確保すべきスペースを減少させることができるため、当該モニタ装置の設置スペースを減少させることができる。
【００１０】
上記のキュービクルのモニタ装置において、表示部は、本体部の正面視において接続端子に重ならない第１位置と、本体部の正面視において接続端子及び配線に重なる第２位置とに変位可能に本体部に取り付けられていることが好ましい。
この構成によれば、表示部が第２位置に位置している場合、接続端子及び配線の両方の設置スペース上に表示部が配置されることになる。結果的に、表示部の設置のために計器取付板に確保すべき設置スペースを更に減少させることができるため、当該モニタ装置の設置スペースを更に減少させることができる。
【００１１】
上記のキュービクルのモニタ装置において、本体部の前面に設けられ、第１位置と第２位置とにスライド移動可能に表示部を支持するスライド部材を更に備えることが好ましい。
この構成によれば、表示部を第１位置及び第２位置に容易に移動させることができる。
【００１２】
上記のキュービクルのモニタ装置において、第１位置に位置している状態で表示部の位置を保持する保持部材を更に備えることが好ましい。
この構成によれば、保持部材により表示部を第１位置で保持することができる。これにより、接続端子を外部に露出した状態を維持することが可能となるため、接続端子に配線を接続する作業、及び接続端子から配線を取り外す作業を更に容易に行うことができる。
【００１３】
上記のキュービクルのモニタ装置において、接続端子には、複数の計測用機器のそれぞれの配線が接続され、表示部は、複数の計測用機器のそれぞれに応じた複数の計測値を表示することが好ましい。
この構成によれば、従来の複数のメータパネルを一つのモニタ装置にまとめることができるため、それにより計器取付板に形成される空きスペースに任意の計器等を設置することが可能となる。
【００１４】
上記のキュービクルのモニタ装置において、本体部の前面には、外部機器との通信に用いられる通信線を接続可能な通信端子が更に設けられていることが好ましい。
この構成によれば、通信端子を介してモニタ装置と外部機器との間で通信を行うことが可能となるため、表示部に表示可能な情報を増やすことができる。
【発明の効果】
【００１５】
本開示によれば、計測用機器の交換時の作業性を向上させることのできるキュービクルのモニタ装置を提供できる。
【図面の簡単な説明】
【００１６】
【図１】図１は、実施形態のキュービクルの正面構造を示す正面図である。
【図２】図２は、実施形態のキュービクルの電気的な構成を示すブロック図である。
【図３】図３は、実施形態のモニタ装置の正面構造を示す正面図である。
【図４】図４は、実施形態のモニタ装置の側面構造を示す側面図である。
【図５】図５は、実施形態のモニタ装置の背面構造を示す背面図である。
【図６】図６は、実施形態のモニタ装置におけるタッチパネルが取り外された状態での正面構造を示す正面図である。
【図７】図７は、実施形態のモニタ装置の正面構造を示す正面図である。
【図８】図８は、実施形態のタッチパネルの背面構造を示す背面図である。
【図９】図９は、実施形態のモニタ装置の断面構造を示す断面図である。
【発明を実施するための形態】
【００１７】
以下、キュービクルのモニタ装置の一実施形態について図面を参照しながら説明する。説明の理解を容易にするため、各図面において同一の構成要素に対しては可能な限り同一の符号を付して、重複する説明は省略する。
はじめに、本実施形態のモニタ装置が用いられるキュービクル１０の概要について説明する。図１に示されるキュービクル１０は、キュービクル式高圧受電設備であって、電力会社等から供給される高圧の商用電力を、需要家の負荷設備の仕様に適合した電圧や周波数を有する電力に変換するための機器一式を金属製の外箱に収めた設備である。図１に示されるように、キュービクル１０は、直方体状に形成された箱体２１を備えている。箱体２１には、計器用変圧変流器（ＶＣＴ：Voltage Current Transformer）１１と、変圧器１２と、電力用ヒューズ１３付きの高圧負荷開閉器１４と、モニタ装置１５と、電力計１６と、配線用遮断器１７とが設置されている。モニタ装置１５は、箱体２１の前面に設けられた板状の計器取付板２３に取り付けられている。計器取付板２３には、モニタ装置１５の他、キュービクル１０に用いられる各種機器が取付可能となっている。
【００１８】
図２に示されるように、変圧器１２は、高圧母線からなる一次側電路Ｗ１１から供給される高圧の交流電力を、負荷に供給可能な交流電力に変換する。変圧器１２により変換された交流電力は、二次側電路Ｗ１２を通じて負荷に供給される。変圧器１２は、一次側電路Ｗ１１から供給される高圧の交流電力を低圧の単相交流電力に変換する電灯変圧器や、高圧の交流電力を低圧の三相交流電力に変換する動力変圧器等からなる。
【００１９】
計器用変圧変流器１１は、一次側電路Ｗ１１の途中に配置されている。計器用変圧変流器１１は、一次側電路Ｗ１１を通じて変圧器１２に供給されている高電圧及び大電流を、電力計１６により計測可能な低電圧及び小電流に変換する。
電力計１６は、計器用変圧変流器１１により変換された低電圧及び小電流に基づいて、一次側電路Ｗ１１を通じて変圧器１２に供給される電力、すなわち使用電力等を計測するとともに、計測した使用電力等を表示する。
【００２０】
高圧負荷開閉器１４は、一次側電路Ｗ１１の途中に設けられている。高圧負荷開閉器１４は、変圧器１２の一次側電路Ｗ１１を開閉するための機器である。
配線用遮断器１７は、二次側電路Ｗ１２の途中に設けられている。配線用遮断器１７は、変圧器１２の二次側電路Ｗ１２を開閉するための機器である。
【００２１】
モニタ装置１５は、キュービクル１０に関する各種情報を表示するための装置である。詳しくは、モニタ装置１５は、計測部１５０と、制御部１５１と、通信部１５２と、タッチパネル２０と、複数の接続端子Ｔ１０と、複数の通信端子Ｔ２０とを備えている。
計測部１５０には、計器用変流器１８及び計器用変圧器１９から出力される電気信号が入力されている。計器用変流器１８及び計器用変圧器１９は、二次側電路Ｗ１２に設けられている。計器用変流器１８は、二次側電路Ｗ１２を流れる大電流を、モニタ装置１５により計測可能な小電流に変換する。計器用変圧器１９は、二次側電路Ｗ１２に供給されている高電圧を、モニタ装置１５により計測可能な低電圧に変換する。本実施形態では、計器用変流器１８及び計器用変圧器１９が計測用機器に相当する。
【００２２】
計器用変流器１８及び計器用変圧器１９からそれぞれ延びる配線Ｗ２１，Ｗ２２は、モニタ装置１５の接続端子Ｔ１０に接続されている。計測部１５０には、接続端子Ｔ１０を介して計器用変流器１８及び計器用変圧器１９のそれぞれの電気信号が入力されている。計測部１５０は、計器用変流器１８及び計器用変圧器１９のそれぞれの電気信号に基づいて二次側電路Ｗ１２の電流及び電圧を計測するとともに、計測された電流及び電圧の情報を制御部１５１に送信する。
【００２３】
通信部１５２は、通信端子Ｔ２０に接続される通信線Ｗ３１を介して電力計１６と通信可能に接続されている。また、通信部１５２は、通信端子Ｔ２０に接続される通信線Ｗ３２を介してネットワーク回線ＮＴに接続されている。通信部１５２は、通信線Ｗ３１を介した制御部１５１と電力計１６との通信を可能とするとともに、通信線Ｗ３２及びネットワーク回線ＮＴを介した制御部１５１と外部機器との通信を可能としている。制御部１５１により行われるネットワーク回線ＮＴを利用した通信としては、クラウドシステムを利用するための通信等がある。
【００２４】
タッチパネル２０は、キュービクル１０の各種状態量を表示する表示部として機能するとともに、タッチ操作を行うことの可能な操作部として機能する。
制御部１５１は、計測部１５０から二次側電路Ｗ１２の電流及び電圧等の情報を取得する。また、制御部１５１は、二次側電路Ｗ１２の電流及び電圧から演算可能な物理量、例えば電力や力率、電力量等を演算する。さらに、制御部１５１は、通信部１５２を介して電力計１６と通信を行うことにより使用電力等の情報を取得したり、ネットワーク回線ＮＴを介して外部機器と通信を行うことにより各種情報を取得したりする。制御部１５１は、取得又は演算されたこれらの情報を作業者のタッチ操作に基づいてタッチパネル２０に表示する。
【００２５】
次に、モニタ装置１５の具体的な構造について説明する。
図３及び図４に示されるように、モニタ装置１５は、タッチパネル２０と、本体部３０とを備えている。なお、図３及び図４を含め、以降の図では、矢印Ｘで示される方向を左右方向と称し、矢印Ｚで示される方向を上下方向と称する。
【００２６】
本体部３０は、第１筐体３１と、第２筐体３２とを有している。第１筐体３１は、直方体状に形成されている。第１筐体３１の前面３１０には、タッチパネル２０が取り付けられている。第２筐体３２は、第１筐体３１におけるタッチパネル２０が設けられる前面３１０とは反対側の背面３１１から突出するように形成されている。
【００２７】
図４及び図５に示されるように、第１筐体３１の背面３１１には、係合部３１２が形成されている。係合部３１２は、計器取付板２３に形成される係合孔に挿入されることにより計器取付板２３に係合されている。第１筐体３１は、この係合部３１２と計器取付板２３との係合構造により計器取付板２３の前面２３０に固定して取り付けられている。
【００２８】
計器取付板２３には、その前面２３０から背面２３１に貫通する筐体挿入孔２３２が形成されている。この筐体挿入孔２３２に第２筐体３２が挿入されている。
第１筐体３１及び第２筐体３２の内部には、図２に示される計測部１５０、制御部１５１、及び通信部１５２等を構成する電子部品や基板等が収容されている。第１筐体３１及び第２筐体３２は、これらの電子部品や基板等を外部環境から保護している。
【００２９】
図６に示されるように、第１筐体３１の前面３１０には、複数の接続端子Ｔ１０及び複数の通信端子Ｔ２０が設けられている。接続端子Ｔ１０には、図２に示される計器用変流器１８及び計器用変圧器１９のそれぞれの配線Ｗ２１，Ｗ２２が接続されている。通信端子Ｔ２０には、図２に示される電力計１６との通信に用いられる通信線Ｗ３１、及びネットワーク回線ＮＴを利用した通信に用いられる通信線Ｗ３２が接続されている。
【００３０】
図５に示されるように、計器取付板２３において筐体挿入孔２３２の下方にあたる部分には、配線挿入孔２３３が形成されている。配線挿入孔２３３は、計器取付板２３を背面２３１から前面２３０に貫通するように形成されている。配線Ｗ２１，Ｗ２２及び通信線Ｗ３１，Ｗ３２は、計器取付板２３の背面２３１から前面２３０に延びるように配線挿入孔２３３に挿入されて接続端子Ｔ１０及び通信端子Ｔ２０にそれぞれ接続されている。
【００３１】
図６に示されるように、第１筐体３１の前面３１０には、タッチパネル２０が取り付けられるスライド部材４０が設けられている。スライド部材４０は、第１筐体３１の前面３１０の左端部に設けられる第１スライドレール４１と、第１筐体３１の前面の右端部に設けられる第２スライドレール４２とを有している。
【００３２】
第１スライドレール４１は、第１筐体３１の前面３１０の左端部に固定される固定部４１０と、固定部４１０に対して上下方向に相対移動可能に取り付けられる可動部４１１とにより構成されている。同様に、第２スライドレール４２は、第１筐体３１の前面３１０の右端部に固定される固定部４２０と、固定部４２０に対して上下方向に相対移動可能に取り付けられる可動部４２１とにより構成されている。第１スライドレール４１の可動部４１１及び第２スライドレール４２の可動部４２１には、ねじ等によりタッチパネル２０が取り付けられている。
【００３３】
このモニタ装置１５では、通常、タッチパネル２０が図３に示される標準ポジションに位置している。図３に示される標準ポジションは、モニタ装置１５を正面から見たときに、接続端子Ｔ１０、通信端子Ｔ２０、及び配線挿入孔２３３への視線をタッチパネル２０が遮る位置である。
【００３４】
図３に示される状態で作業者がタッチパネル２０に対して上方の力を加えると、タッチパネル２０と一体となって第１スライドレール４１の可動部４１１及び第２スライドレール４２の可動部４２１が上方に移動する。このとき、第１スライドレール４１の可動部４１１が固定部４１０に対して上方に相対移動し、且つ第２スライドレール４２の可動部４２１が固定部４２０に対して上方に相対移動することにより、図７に示されるように、タッチパネル２０が本体部３０に対して上方にスライド移動する。タッチパネル２０が図７に示される可動ポジションまで移動すると、接続端子Ｔ１０、通信端子Ｔ２０、及び配線挿入孔２３３が外部に露出する。
【００３５】
図８に示されるように、タッチパネル２０の背面２０３における左右両端部には、保持部材２００がそれぞれ形成されている。保持部材２００は、タッチパネル２０が図７に可動ポジションまで移動した際に、その位置でタッチパネル２０を保持する。
具体的には、保持部材２００は、タッチパネル２０の背面２０３において舌片状に切り欠かれた部分からなる。保持部材２００の先端部には、突出部２０１が形成されている。図９に示されるように、突出部２０１は、左右方向に直交する断面形状が略三角形状に形成されている。突出部２０１の底面２０２は、第１筐体３１の上面３１３に略平行な平面となっている。
【００３６】
このモニタ装置１５では、作業者がタッチパネル２０を図３に示される標準ポジションから図７に示される可動ポジションまで移動させると、保持部材２００が図９に二点鎖線で示される状態から実線で示される状態に弾性変形する。これにより、突出部２０１の底面２０２が第１筐体３１の上面３１３に係合する。この係合構造によりタッチパネル２０の下方への移動が規制されることで、タッチパネル２０が図７に示される可動ポジションで保持される。
【００３７】
また、モニタ装置１５が図７に示される可動ポジションに保持されている状態で、作業者が保持部材２００を押圧すると、保持部材２００が弾性変形して突出部２０１の底面２０２と第１筐体３１の上面３１３との係合が解除される。この状態で作業者がタッチパネル２０に下方の力を付与することにより、タッチパネル２０を元の標準ポジションに戻すことができる。
【００３８】
なお、この保持部材２００の操作を作業者に認知し易くするために、スライドレール４１，４２のそれぞれの固定部４１０，４２０に、例えば「解除ボタンを押したまま画面をスライド」等の文言が記載されたテープを貼付してもよい。文言中の「解除ボタン」は保持部材２００に相当し、「画面」はタッチパネル２０に相当する。
【００３９】
次に、本実施形態のモニタ装置１５の使用例について説明する。
このモニタ装置１５では、通常、タッチパネル２０が図３に示される標準ポジションに位置している。この状態では、作業者がタッチパネル２０を操作すれば、変圧器１２の電流や電圧等の情報をタッチパネル２０に表示させることができる。
【００４０】
一方、計器用変流器１８や計器用変圧器１９等を交換する際には、まず、作業者がタッチパネル２０を図７に示される可動ポジションまで移動させ、その位置でタッチパネル２０を保持させる。この状態では、接続端子Ｔ１０が外部に露出しているため、接続端子Ｔ１０から計器用変流器１８及び計器用変圧器１９のそれぞれの配線Ｗ２１，Ｗ２２を容易に取り外すことができる。
【００４１】
その後、新たな計器用変流器１８及び計器用変圧器１９をキュービクル１０に設置した場合には、それらの配線Ｗ２１，Ｗ２２を配線挿入孔２３３に通した後、配線Ｗ２１，Ｗ２２を接続端子Ｔ１０に接続する。これにより、計器用変流器１８や計器用変圧器１９等とモニタ装置１５との結線が完了する。
【００４２】
以上説明した本実施形態のキュービクル１０のモニタ装置１５によれば、以下の（１）〜（６）に示される作用及び効果を得ることができる。
（１）本体部３０の前面３１０に接続端子Ｔ１０が設けられているため、接続端子Ｔ１０に配線Ｗ２１，Ｗ２２を接続する作業、及び接続端子Ｔ１０から配線Ｗ２１，Ｗ２２を取り外す作業を本体部３０の前面３１０で行うことができる。そのため、それらの作業を計器取付板２３の背面２３１で行う必要のあった従来のキュービクルのメータパネルと比較すると、交換時の作業性を向上させることができる。
【００４３】
（２）タッチパネル２０は、本体部３０の正面視において接続端子Ｔ１０に重ならない可動ポジションと、本体部３０の正面視において接続端子Ｔ１０及び配線Ｗ２１，Ｗ２２に重なる標準ポジションとに変位可能に本体部３０に取り付けられている。本実施形態では、可動ポジションが第１位置に相当し、標準ポジションが第２位置に相当する。また、本体部３０の正面視は、計器取付板２３の前面視に相当、より具体的には計器取付板２３の前面２３０に垂直な方向から計器取付板２３を見た場合に相当する。このような構成によれば、タッチパネル２０を可動ポジションに移動させることにより、接続端子Ｔ１０に配線Ｗ２１，Ｗ２２を接続する作業、及び接続端子Ｔ１０から配線Ｗ２１，Ｗ２２を取り外す作業を容易に行うことができる。また、タッチパネル２０を標準ポジションに移動させることにより、作業者による意図しない接続端子Ｔ１０への接触等を未然に防止することができる。
【００４４】
さらに、上記構成によれば、タッチパネル２０が標準ポジションに位置している場合、接続端子Ｔ１０及び配線Ｗ２１，Ｗ２２の両方の設置スペース上にタッチパネル２０が配置されることになる。結果的に、タッチパネル２０の設置のために計器取付板２３に確保すべきスペースを減少させることができるため、当該モニタ装置１５の設置スペースを減少させることができる。
【００４５】
（３）モニタ装置１５は、本体部３０の前面３１０に設けられるスライド部材４０を更に備える。スライド部材４０は、可動ポジションと標準ポジションとにスライド移動可能にタッチパネル２０を支持している。このような構成によれば、タッチパネル２０を可動ポジション及び標準ポジションに容易に移動させることができる。
【００４６】
（４）モニタ装置１５は、可動ポジションに位置している状態でタッチパネル２０の位置を保持する保持部材２００を更に備える。この構成によれば、保持部材２００によりタッチパネル２０を可動ポジションに保持することができるため、接続端子Ｔ１０を外部に露出した状態を維持することが可能となる。よって、接続端子Ｔ１０に配線Ｗ２１，Ｗ２２を接続する作業、及び接続端子Ｔ１０から配線Ｗ２１，Ｗ２２を取り外す作業を更に容易に行うことができる。
【００４７】
（５）従来のキュービクルには、計器用変流器１８及び計器用変圧器１９のそれぞれに応じた複数のメータパネルが存在しているため、それらのメータパネルが、図１に示される計器取付板２３の設置エリアＡの全面にわたって配置されている。これに対し、本実施形態のタッチパネル２０は、計器用変流器１８及び計器用変圧器１９のそれぞれの計測値を表示可能であるため、従来の複数のメータパネルを一つのモニタ装置１５にまとめることができる。そのため、図１に示されるように、計器取付板２３の設置エリアＡに空きスペースを確保することができるため、その空きスペースに任意の計器等を設置する可能となる。
【００４８】
（６）本体部３０の前面３１０には、電力計１６等の外部機器との通信に用いられる通信線Ｗ３１，Ｗ３２を接続可能な通信端子Ｔ２０が更に設けられている。このような構成によれば、通信端子Ｔ２０を介してモニタ装置１５と電力計１６等の外部機器との間で通信を行うことができるため、タッチパネル２０に表示可能な情報を増やすことができる。また、通信端子Ｔ２０への通信線Ｗ３１，Ｗ３２の接続及び通信端子Ｔ２０からの通信線Ｗ３１，Ｗ３２の取り外し作業を容易に行うことができる。
【００４９】
なお、上記実施形態は、以下の形態にて実施することもできる。
・モニタ装置１５の表示部としては、タッチパネル２０に限らず、変圧器１２の電流や電圧等の情報を表示可能な任意のディスプレイ装置を用いることができる。
【００５０】
・モニタ装置１５には、変圧器１２の電流や電圧等の情報の他、キュービクル１０に関する種々の情報を表示することが可能である。
・タッチパネル２０の標準ポジションは、本体部３０の正面視において接続端子Ｔ１０のみに重なる位置に設定されていてもよい。
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００５１】
Ｔ１０：接続端子
Ｔ２０：通信端子
Ｗ２１，Ｗ２２：配線
Ｗ３１，Ｗ３２：通信線
１０：キュービクル
１５：モニタ装置
１８：計器用変流器（計測用機器）
１９：計器用変圧器（計測用機器）
２０：タッチパネル（表示部）
２３：計器取付板
３０：本体部
４０：スライド部材
２００：保持部材
３１０：前面
３１１：背面
【図１】
2019195238.tif 000003
【図２】
2019195238.tif 000004
【図３】
2019195238.tif 000005
【図４】
2019195238.tif 000006
【図５】
2019195238.tif 000007
【図６】
2019195238.tif 000008
【図７】
2019195238.tif 000009
【図８】
2019195238.tif 000010
【図９】
2019195238.tif 000011